(57)【要約】【課題】掃除機に取り付け可能な付属ツールを提供する。【解決手段】  付属ツールは、掃除機に取り付け可能であり、入口開口を有する入口チューブ部分に取り付けられるボディ部分を有し、ボディ部分は、フレキシブルベース部分及び複数の毛を有する。ツールは、フレキシブルボディ部分の少なくとも一部を覆う布を含み得る。布は、入口開口と流体連通する１又は複数の通路を有する。【選択図】図１
2015043983.tif 000002
【特許請求の範囲】
【請求項１】
掃除機に取り付け可能な付属ツールであって：
入口開口を有する入口チューブ部分に取り付けられるボディ部分を有し、前記入口チューブ部分は取付チューブと流体連通し、
前記ボディ部分は、フレキシブルベース部分及び複数の毛を有する、
付属ツール。
【請求項２】
前記フレキシブルボディ部分の少なくとも一部を覆う布をさらに有し、前記布は、前記入口開口と流体連通する１又は複数の通路を有する、
請求項１に記載の付属ツール。
【請求項３】
前記布は、織布又は不織布材料である、
請求項２に記載の付属ツール。
【請求項４】
前記布は、軟質材料である、
請求項２に記載の付属ツール。
【請求項５】
前記布は、前記布の一部を前記ツールの上に保持する弾性材料を有する、
請求項２に記載の付属ツール。
【請求項６】
前記複数の毛は、前記入口開口に隣接して位置する前記ベース部分から前記ツールの遠位端に向かって長手方向に延びる、
請求項１に記載の付属ツール。
【請求項７】
前記ベース部分は、前記入口開口の近傍から前記ツールの遠位端に向かって長手方向に延び、前記複数の毛は、前記ベース部分から略垂直に延びる、
請求項１に記載の付属ツール。
【請求項８】
前記取付チューブは、掃除機に取り付け可能である、
請求項１に記載の付属ツール。
【請求項９】
前記入口チューブ部分は、前記取付チューブに回転可能に接続される、
請求項１に記載の付属ツール。
【請求項１０】
前記入口開口と前記取付チューブとの間に取り付けられるホースをさらに有する、
請求項９に記載の付属ツール。
【発明の詳細な説明】
【技術分野】
【０００１】
本開示は、表面を清掃するための掃除機に取り付け可能な付属ツールに関する。
【背景技術】
【０００２】
現在の掃除機付属ツール製品に付随する欠点に対処するために掃除機付属品を改良するための現在継続している要求がある。これらの欠点は、比較的低いクリーニング性能、高い製造コスト等を含む。
【発明の概要】
【発明が解決しようとする課題】
【０００３】
本発明の目的は、これらの欠点の少なくとも幾つかを軽減すること、又はより一般的には、改良された掃除機付属ツールを提供することである。
【課題を解決するための手段】
【０００４】
本発明の態様によれば、そこを通る入口開口を有する入口チューブ部分に取り付けられるボディ部分を有する掃除機に取り付け可能な付属ツールが提供され、入口チューブ部分は取付チューブと流体連通し、ボディ部分は、フレキシブルベース部分及び複数の毛を有する。
【０００５】
好ましくは、付属ツールはさらに、フレキシブルボディ部分の少なくとも一部を覆う布を有し、布は、入口開口とそこを通って流体連通する１又は複数の通路を有する。
【０００６】
これらの特徴を持つ付属ツールが、向上したクリーニング性能及び低減した製造コストを提供することが見出されている。
【図面の簡単な説明】
【０００７】
【図１】図１は、ブラシの形態のフレキシブル掃除機取付ツールの斜視図である。
【図２】図１のツールの平面図である。
【図３】図１のツールの側面図である。
【図４】図１のツールの外側の端面図である。
【図５】図１のツールの取り付け端面図である。
【図６】布によって覆われた、図１又は図１１のツール等の、フレキシブル掃除機取付ツール、斜視図である。
【図７】図６のツールの平面図である。
【図８】図６のツールの側面図である。
【図９】図６のツールの外側の端面図である。
【図１０】図６のツールの取り付け端面図である。
【図１１】伸長された毛を有するブラシの形態の代替フレキシブル掃除機取付ツールの斜視図である。
【図１２】図１１のツールの平面図である。
【図１３】図１１のツールの側面図である。
【図１４】図１１のツールの取り付け端面図である。
【図１５】図１１のツールの外側の端面図である。
【発明を実施するための形態】
【０００８】
図１を参照すると、フレキシブル（柔軟）取付ツール１０が示される。ツール１０は、入口チューブ部分１４に取り付けられるフレキシブル（柔軟）ボディ部分１２を有する。入口チューブ部分１４は、取付チューブ１６に回転可能に接続される。ホース１８が、入口チューブ部分１４と取付チューブ１６との間を流体連通して取付けられる。
【０００９】
入口チューブ部分１４は、入口開口２０及びベースプレート２２を有し、ベースプレート２２はフレキシブルボディ部分１２に取り付けられる。ベースプレート２２は、ボディ部分１２と一体であり得る。又は、フレキシブルボディ部分１２は、ベースプレート２２に取り付けられ得る。
【００１０】
図２に示されるように、入口チューブ部分１４は、取付チューブ１６の対応する戻り止め部２６に係合する歯２４を含み得る。入口チューブ部分１４は、入口チューブ部分１４及び取付チューブ１６が、ツールを所望の使用位置に固定するために位置決め歯を回転させるとともに同歯に係合するよう、図３の矢印“Ａ”の方向又は矢印“Ｂ”の方向に軸２８周りに回転可能であるように、取付けチューブ１６に回転可能に接続される。
【００１１】
ボディ部分１２は、フレキシブルベース部分３２に取り付けられた複数の毛３０を含む。ベース部分３２は、ベースプレート２２からほぼ垂直に延びる。入口開口２０は、取付ツール１０が掃除機（図示せず）に取り付けられるとともに掃除機が吸引力を作用させるように位置し、空気は、ベース３２の少なくとも一部に沿ってそして入口開口２０に吸い込まれる。入口開口２０に吸い込まれるごみ・屑は、ホース１８及び取付チューブ１６を通って掃除機に向かって移動する。
【００１２】
フレキシブルボディ部分１２は、エラストマ材料等、可撓性及び弾性材料で作られる。入口チューブ部分１４及び取付チューブ１６は、剛性又は半剛性材料であり得る。代替的には、入口チューブ部分１４及び取付チューブ１６の少なくとも一方は、可撓性材料であり得る。フレキシブルボディ部分１２の毛３０及びベース３２は、一体部品として同じ材料から成型され得る。図１に示されるように、毛３０は、織物の表面からペットの毛を取り除くためのブラシとしての使用のために等、離間され得る。
【００１３】
図６−９に示されるように、取付ブラシ１０は、ほこり払いツールを形成するように、布３４によって覆われ得る。布３４は、マクロファイバークロスであり得る。様々な代替では、布３４は、けばだった又は毛足の長い布であり得る。布３４は、織布又は不織布材料であり得る。布３４は、織物であり得る又はシートであり得る。他の代替が考えられる。入口開口２０と流体連通する布３４の１又は複数の通路３６は、布を通って空気通路にごみ・屑を引き込むことを助けるために、空気がボディ内に吸い込まれることを許容する。ゴムバンド３８が、図１０に示されるように、カバーをベースプレート２２の上を覆って留めるために、布３４の端部に縫い込まれ得る。
【００１４】
次に図１１を参照すると、ツール１１０が示され、代替フレキシブルボディ部分１１２を有する。図１１のフレキシブルボディ部分１１２は、ベース部分１３２からツール１１０の遠位端部に長手方向に延びる伸長された毛１３０を含む。ベース部分１３２はベースプレート２２と一体であり得る、又はベース部分１３２はベースプレート２２に取り付けられ得る。伸長された毛１３０は、エラストマ材料等、可撓性及び弾性材料で作られる。
【００１５】
一実施形態では、図６−１０に示されたカバー３４が、ツール１１０のフレキシブルボディ部分１１２を覆って配置可能である。このようなものとして、図６のカバー３４の下のツールは、取付けツール１０又は取付ツール１１０であり得る。
【図１】
2015043983.tif 000003
【図２】
2015043983.tif 000004
【図３】
2015043983.tif 000005
【図４】
2015043983.tif 000006
【図５】
2015043983.tif 000007
【図６】
2015043983.tif 000008
【図７】
2015043983.tif 000009
【図８】
2015043983.tif 000010
【図９】
2015043983.tif 000011
【図１０】
2015043983.tif 000012
【図１１】
2015043983.tif 000013
【図１２】
2015043983.tif 000014
【図１３】
2015043983.tif 000015
【図１４】
2015043983.tif 000016
【図１５】
2015043983.tif 000017
【外国語明細書】
2015043983000001.pdf